(57)【要約】【課題】  通信網を経済的に運営するとともに、通信網の信頼性を向上できる光線路の障害位置検出装置を提供する。【解決手段】  各下り送信機Ｔｘおよび各上り受信機Ｒｘが設置された中央基地局ＣＯと、前記中央基地局ＣＯと光線路１１，２１，２２，３１によって連結された中間ノードＲＮと、前記中間ノードＲＮと別途の光線路１２，２３，２４，３２によって連結される各加入者装置ＯＮＵと、を含んで波長分割多重方式受動型光加入者通信網のための光線路の障害位置検出装置を構成する。【選択図】    図２
2006287888.tif 000002
【特許請求の範囲】
【請求項１】
各下り送信機および各上り受信機が設置された中央基地局と、前記中央基地局と光線路によって連結される中間ノードと、前記中間ノードと別途の光線路によって連結される各加入者装置と、を含んで構成される波長分割多重方式受動型光加入者通信網のための光線路の障害位置検出装置は；
前記各上り受信機に受信された信号のうち、非正常の受信状態を示すチャネルを確認し、非正常の受信状態を示すチャネルに該当する下り送信機の光源にパルスを入力して生成された監視光信号を前記中央基地局から出力することで、前記監視光信号が前記中央基地局と前記中間ノードとを連結する光線路を通して伝送されるか、前記中間ノードと前記各加入者装置とを連結する光線路を通して伝送されるときの時間による大きさを測定し、光損失および障害位置を把握することを特徴とする光線路の障害位置検出装置。
【請求項２】
各下り送信機に連結される多重化器および各上り受信機に連結される逆多重化器を備えた中央基地局と、第１光線路および受動型素子を通して前記多重化器、および前記逆多重化器に連結される多重化／逆多重化器を備えた中間ノードと、複数の第２光線路を通して前記多重化／逆多重化器にそれぞれ連結される各加入者装置と、を含む波長分割多重方式受動型光加入者通信網に対する光線路の障害位置検出装置は：
前記各上り受信機に受信された信号のうち、非正常の受信状態を示すチャネルを確認し、非正常の受信状態を示すチャネルに該当する下り送信機の光源にパルスを入力して生成された監視光信号を前記中央基地局の多重化器に入力することで、前記監視光信号が前記第１光線路または第２光線路を通して伝送されるときの時間による大きさを測定して光損失値を測定し、光損失および障害位置を把握することを特徴とする光線路の障害位置検出装置。
【請求項３】
前記光線路の障害位置検出装置は：
パルスを発生するパルス発生器と；
各下り送信機に対して設置され、データ信号発生部または前記パルス発生器と下り送信機の光源とを連結する２ｘ１スイッチと；
前記多重化器と前記受動型素子との間に設置され、前記多重化器を通して出力された前記監視光信号が後方に散乱または反射されると、その後方に散乱または反射された監視光信号の経路を変える受動素子と；
前記受動素子に連結される波長可変帯域通過フィルタと；
前記各上り受信機における信号受信可否を確認することで非正常の受信状態を示すチャネルを確認し、前記各上り受信機の全てに信号が受信されないと、前記各下り送信機から選択されたいずれか一つの下り送信機の光源と前記パルス発生器とが連結されるように、かつ、前記各上り受信機のいずれか一つの上り受信機に信号が受信されないと、その上り受信機と同一のチャネルを有する下り送信機の光源と前記パルス発生器とが連結されるように、前記２ｘ１スイッチを制御し、前記波長可変帯域通過フィルタの中心波長を前記監視光信号の波長に合せる制御器と；
前記波長可変帯域通過フィルタから前記監視光信号を受けて電気信号に変換し、時間による大きさの変化を前記第１光線路または第２光線路の距離による光損失値に換算して出力する監視信号用受信機と；を含んで構成されることを特徴とする請求項２記載の光線路の障害位置検出装置。
【請求項４】
前記制御器は、
前記各上り受信機の二つ以上の上り受信機に同時に信号が受信されないと、前記各上り受信機と同一のチャネルを有する各下り送信機の光源と前記パルス発生器とが予め設定された順にしたがって連結されるように前記２ｘ１スイッチを制御し、前記波長可変帯域通過フィルタの中心波長を前記パルス発生器に連結された下り送信機の波長にそれぞれ合せることを特徴とする請求項３記載の光線路の障害位置検出装置。
【請求項５】
各下り送信機に連結される多重化器および各上り受信機に連結される逆多重化器を備えた中央基地局と、第１光線路を通して前記中央基地局の多重化器に連結される逆多重化器、および前記第１光線路と一緒に布設される第２光線路を通して前記中央基地局の逆多重化器に連結される多重化器を備えた中間ノードと、第３光線路を通して前記中間ノードの逆多重化器に連結される下り受信機、および前記第３光線路と一緒に布設される第４光線路を通して前記中間ノードの多重化器に連結される上り送信機を備えた各加入者装置と、を含む波長分割多重方式受動型光加入者通信網に対する光線路の障害位置検出装置は：
前記各上り受信機に受信された信号のうち、非正常の受信状態を示すチャネルを確認し、非正常の受信状態を示すチャネルに該当する下り送信機の光源にパルスを入力して生成された監視光信号を前記中央基地局の多重化器に入力することで、前記監視光信号が前記第１光線路または第３光線路を通して伝送されるときの時間による大きさを測定して光損失値を測定し、光損失および障害位置を把握することを特徴とする光線路障害位置検出装置。
【請求項６】
前記光線路の障害位置検出装置は：
パルスを発生するパルス発生器と；
各下り送信機に対して設置され、データ信号発生部または前記パルス発生器と下り送信機の光源とを連結する２ｘ１スイッチと；
前記第１光線路に設置され、前記中央基地局の多重化器を通して出力された前記監視光信号が後方に散乱または反射されると、その後方に散乱または反射された監視光信号の経路を変える受動素子と；
前記受動素子に連結される波長可変帯域通過フィルタと；
前記各上り受信機における信号受信可否を確認することで非正常の受信状態を示すチャネルを確認し、前記各上り受信機の全てに信号が受信されないと、前記各下り送信機から選択されたいずれか一つの下り送信機の光源と前記パルス発生器とが連結されるように、かつ、前記各上り受信機のいずれか一つの上り受信機に信号が受信されないと、その上り受信機と同一のチャネルを有する下り送信機の光源と前記パルス発生器とが連結されるように前記２ｘ１スイッチを制御し、前記波長可変帯域通過フィルタの中心波長を前記監視光信号の波長に合せる制御器と；
前記波長可変帯域通過フィルタから前記監視光信号を受けて電気信号に変換し、時間による大きさの変化を前記第１光線路または第３光線路の距離による光損失値に換算して出力する監視信号用受信機と；を含んで構成されることを特徴とする請求項５記載の光線路の障害位置検出装置。
【請求項７】
前記制御器は、
前記各上り受信機の二つ以上の上り受信機に同時に信号が受信されないと、前記各上り受信機と同一のチャネルを有する各下り送信機の光源と前記パルス発生器とが予め設定された順にしたがって連結されるように前記２ｘ１スイッチを制御し、前記波長可変帯域通過フィルタの中心波長を前記パルス発生器に連結された下り送信機の波長にそれぞれ合せることを特徴とする請求項６記載の光線路の障害位置検出装置。
【請求項８】
前記光線路の障害位置検出装置は、各チャネル別に設置され、
パルスを発生するパルス発生器と；
データ信号発生部または前記パルス発生器と下り送信機の光源とを連結する２ｘ１スイッチと；
下り送信機と前記中央基地局の多重化器とを連結する光線路に設置され、前記中央基地局の多重化器を通して出力された前記監視光信号が後方に散乱または反射されると、その後方に散乱または反射された監視光信号の経路を変える受動素子と；
上り受信機における信号受信可否を確認した結果、非正常の受信状態を示すと、下り送信機の光源とパルス発生器とが連結されるように前記２ｘ１スイッチを制御する制御器と；
前記受動素子から前記監視光信号を受けて電気信号に変換し、時間による大きさの変化を前記第１光線路または第３光線路の距離による光損失値に換算して出力する監視信号用受信機と；を含んで構成されることを特徴とする請求項５記載の光線路の障害位置検出装置。
【請求項９】
受動型素子、下り送信機および上り受信機が一つのセットをなして各ポートに連結される多重化／逆多重化器を備えた中央基地局と、第１光線路を通して前記中央基地局の多重化器／逆多重化器に連結される多重化／逆多重化器を備えた中間ノードと、複数の第２光線路を通して前記中間ノードの第２多重化／逆多重化器にそれぞれ連結される各加入者装置と、を含む波長分割多重方式受動型光加入者通信網に対する光線路の障害位置検出装置は：
前記各上り受信機に受信された信号のうち、非正常の受信状態を示すチャネルを確認し、非正常の受信状態を示すチャネルに該当する下り送信機の光源にパルスを入力して生成された監視光信号を前記中央基地局の多重化／逆多重化器に入力することで、前記監視光信号が前記第１光線路または第２光線路を通して伝送されるときの時間による大きさを測定して光損失値を測定し、光損失および障害位置を把握することを特徴とする光線路の障害位置検出装置。
【請求項１０】
前記光線路の障害位置検出装置は、前記各受動型素子、下り送信機および上り受信機のセットに対して設置され、
パルスを発生するパルス発生器と；
データ信号発生部または前記パルス発生器と下り送信機の光源とを連結する２ｘ１スイッチと；
下り送信機と受動型素子とを連結する光線路に設置され、前記中央基地局の多重化／逆多重化器を通して出力された前記監視光信号が後方に散乱または反射されると、その後方に散乱または反射された監視光信号の経路を変える受動素子と；
上り受信機における信号受信可否を確認した結果、非正常の受信状態を示すと、下り送信機の光源とパルス発生器とが連結されるように前記２ｘ１スイッチを制御する制御器と；
前記受動素子から前記監視光信号を受けて電気信号に変換し、時間による大きさの変化を前記第１光線路または第２光線路の距離による光損失値に換算して出力する監視信号用受信機と；を含んで構成されることを特徴とする請求項９記載の光線路の障害位置検出装置。
【請求項１１】
前記多重化器、前記逆多重化器または前記多重化／逆多重化器は、導波路型回折格子からなることを特徴とする請求項２、５または９のいずれかに記載の光線路の障害位置検出装置。
【請求項１２】
前記受動型素子は、ＷＤＭカプラーであることを特徴とする請求項２または９のいずれかに記載の光線路の障害位置検出装置。
【請求項１３】
前記受動素子は、光循環器またはカプラーであることを特徴とする請求項３、６、８または１０のいずれかに記載の光線路の障害位置検出装置。
【発明の詳細な説明】
【技術分野】
【０００１】
本発明は、波長分割多重方式受動型光加入者通信網（Ｗａｖｅｌｅｎｇｔｈ  Ｄｉｖｉｓｉｏｎ  Ｍｕｌｔｉｐｌｅｘｅｄ  Ｐａｓｓｉｖｅ  Ｏｐｔｉｃａｌ  Ｎｅｔｗｏｒｋ；以下、ＷＤＭ−ＰＯＮという）における光線路の障害位置検出装置に関するもので、詳しくは、障害が発生したチャネルの下り光源を監視光源として使用する光線路の障害位置検出装置に関するものである。
【背景技術】
【０００２】
最近、インターネットを始めとする各種のデータサービスが急激に増加するにつれて、加入者通信網においても大幅な伝送容量の増大が要求されている。このような要求を経済的に受け入れる方案として、波長が相互異なる複数個の光信号を多重化して一つの光繊維を通して伝送するＷＤＭ−ＰＯＮ方式が注目を受けている。ＷＤＭ−ＰＯＮは、伝送容量を増大するとともに、通信網を受動型素子に実現することで、通信網の布設、維持および管理が容易であり、拡張性および保安性にも優れている。さらに、波長ごとに相互異なる種類のサービスを提供することができる。
【０００３】
このＷＤＭ−ＰＯＮを実現するにおいて、優先的に考慮すべき事項は、経済性および信頼性である。経済的に通信網を構成するためには、既存のＷＤＭ−ＰＯＮのための多様な光源に関する研究とともに、通信網を構成する素子を経済的に実現する方案に対する研究が行われた。ＷＤＭ−ＰＯＮを用いると、既存の加入者通信網よりも大容量のデータを伝送するため、既存の加入者通信網に比べると、通信網の障害が一層大きな問題を発生し、通信網の信頼性保障が非常に重要な課題となっている。通信網の信頼性を高めるためには、通信網から発生した障害に対する即刻的な感知と、感知された障害の迅速な復旧とが必要である。さらに、通信網の信頼性を保障するための障害感知、位置把握および復旧活動なども経済的に行われるべきである。
【０００４】
図１は、従来のＷＤＭ−ＰＯＮを示した構成図である。
従来のＷＤＭ−ＰＯＮは、大きく中央基地局（ＣＯ）、中間ノード（ＲＮ）および多数の加入者装置（ＯＮＵ）により構成される。中央基地局は、各送信機、各受信機、導波路型回折格子（Ａｒｒａｙｅｄ  Ｗａｖｅｇｕｉｄｅ  Ｇｒａｔｉｎｇ；以下、ＡＷＧという）からなる波長分割多重化器および逆多重化器により構成され、多数の送信機から送出された相互に異なる波長の下り光信号を多重化器で多重化して光線路を通して中間ノードに伝達する。次いで、中間ノードに設置された多重化／逆多重化器は、多重化された各下り光信号を逆多重化して各加入者装置に相互に異なる波長の下り光信号を送る。次いで、各加入者装置に設置された下り受信機は、下り光信号を電気的信号に変換して通信を行う。
【０００５】
その反面、加入者装置に設置された各送信機から送出された上り光信号は、中間ノードの多重化／逆多重化器で多重化された後で上り伝送され、中央基地局で各上り光信号と各下り光信号とを区分するＷＤＭカプラー（ｃｏｕｐｌｅｒ）を経て中央基地局の逆多重化器で逆多重化された後、上り受信機により受信される。
【０００６】
光線路における障害発生は、上り光信号が正常に受信されたか否かによって確認するが、障害が発生した位置を知るためには、別途の監視装置が必要である。
【０００７】
中央基地局と中間ノードとを連結する光線路における障害は、多重化された波長の各光信号が同一の光線路を経るため、単一波長を有する監視装置によりその位置を把握することができる。しかしながら、中間ノードと加入者装置とを連結する各光線路には、相互に異なる波長の光信号が伝送されるので、それら各光線路から発生した障害位置を検出するためには、各光線路の波長に合う多数の光源や波長を可変する光源（非特許文献１参照）を有する監視装置を使用するか、中間ノードの多重化／逆多重化器の前側で信号光および監視光の経路を分離し、この分離された監視光を多重化／逆多重化器の後側で各加入者チャネルが使用する経路と再び結合して障害位置を監視する構造であるべきである。
【０００８】
しかしながら、このような構造は、波長を可変する高価な光源を使用するか、多数の光素子を使用することで、通信網の複雑度が増加するため、通信網の経済性が低下するという問題点があった。
【非特許文献１】Ｋｕｎｉａｋｉ  Ｔａｎａｋａ，ｅｔ  ａｌ．，“Ｉｎ−ｓｅｒｖｉｃｅ  Ｉｎｄｉｖｉｄｕａｌ  Ｌｉｎｅ  Ｍｏｎｉｔｏｒｉｎｇ  ａｎｄ  ａ  Ｍｅｔｈｏｄ  ｆｏｒ  Ｃｏｍｐｅｎｓａｔｉｎｇ  ｆｏｒ  ｔｈｅ  Ｔｅｍｐｅｒａｔｕｒｅ−ｄｅｐｅｎｄｅｎｔ  Ｃｈａｎｎｅｌ−Ｄｒｉｆｔ  ｏｆ  ａ  ＷＤＭ−ＰＯＮ  Ｃｏｎｔａｉｎｉｎｇ  ａｎ  ＡＷＧＲ  Ｕｓｉｎｇ  ａ  １．６  μｍ  Ｔｕｎａｂｌｅ  ＯＴＤＲ，”Ｅｕｒｏｐｅａｎ  Ｃｏｎｆｅｒｅｎｃｅ  ｏｎ  Ｏｐｔｉｃａｌ  Ｃｏｍｍｕｎｉｃａｔｉｏｎ（ＥＣＯＣ  ’９７），ｎｏ．４４８，ｐｐ．２９５−２９８，Ｓｅｐｔ．１９９７．
【発明の開示】
【発明が解決しようとする課題】
【０００９】
本発明は、前記問題点を解決するためになされたもので、通信網を経済的に運営するとともに、通信網の信頼性を向上できる光線路の障害位置検出装置を提供することを目的とする。
【課題を解決するための手段】
【００１０】
前記目的を達成するために、本発明による光線路の障害位置検出装置は、各下り送信機および各上り受信機が設置された中央基地局と、前記中央基地局と光線路によって連結される中間ノードと、前記中間ノードと別途の光線路によって連結される各加入者装置と、を含んで構成される波長分割多重方式受動型光加入者通信網のための光線路の障害位置検出装置であって、前記各上り受信機に受信された信号のうち、非正常の受信状態を示すチャネルを確認し、非正常の受信状態を示すチャネルに該当する下り送信機の光源にパルスを入力して生成された監視光信号を前記中央基地局から出力することで、前記監視光信号が前記中央基地局と前記中間ノードとを連結する光線路を通して伝送されるか、前記中間ノードと前記各加入者装置とを連結する光線路を通して伝送されるときの時間による大きさを測定し、光損失および障害位置を把握することを特徴とする。
【００１１】
本発明の第１実施形態による光線路の障害位置検出装置は、各下り送信機に連結される多重化器および各上り受信機に連結される逆多重化器を備えた中央基地局と、第１光線路および受動型素子を通して前記多重化器、および前記逆多重化器に連結される多重化／逆多重化器を備えた中間ノードと、複数の第２光線路を通して前記多重化／逆多重化器にそれぞれ連結される各加入者装置と、を含む波長分割多重方式受動型光加入者通信網に対する光線路の障害位置検出装置であって、前記各上り受信機に受信された信号のうち、非正常の受信状態を示すチャネルを確認し、非正常の受信状態を示すチャネルに該当する下り送信機の光源にパルスを入力して生成された監視光信号を前記中央基地局の多重化器に入力することで、前記監視光信号が前記第１光線路または第２光線路を通して伝送されるときの時間による大きさを測定して光損失値を測定し、光損失および障害位置を把握することを特徴とする。
【００１２】
このとき、前記光線路の障害位置検出装置は、パルスを発生するパルス発生器と；各下り送信機に対して設置され、データ信号発生部または前記パルス発生器と下り送信機の光源とを連結する２ｘ１スイッチと；前記多重化器と前記受動型素子との間に設置され、前記多重化器を通して出力された前記監視光信号が後方に散乱または反射されると、その後方に散乱または反射された監視光信号の経路を変える受動素子と；前記受動素子に連結される波長可変帯域通過フィルタと；前記各上り受信機における信号受信可否を確認することで非正常の受信状態を示すチャネルを確認し、前記各上り受信機の全てに信号が受信されないと、前記各下り送信機から選択されたいずれか一つの下り送信機の光源と前記パルス発生器とが連結されるように、かつ、前記各上り受信機のいずれか一つの上り受信機に信号が受信されないと、その上り受信機と同一のチャネルを有する下り送信機の光源と前記パルス発生器とが連結されるように、前記２ｘ１スイッチを制御し、前記波長可変帯域通過フィルタの中心波長を前記監視光信号の波長に合せる制御器と；前記波長可変帯域通過フィルタから前記監視光信号を受けて電気信号に変換し、時間による大きさの変化を前記第１光線路または第２光線路の距離による光損失値に換算して出力する監視信号用受信機と；を含んで構成されることを特徴とする。
【００１３】
さらに、前記制御器は、前記各上り受信機の二つ以上の上り受信機に同時に信号が受信されないと、前記各上り受信機と同一のチャネルを有する各下り送信機の光源と前記パルス発生器とが予め設定された順にしたがって連結されるように前記２ｘ１スイッチを制御し、前記波長可変帯域通過フィルタの中心波長を前記パルス発生器に連結された下り送信機の波長にそれぞれ合せることを特徴とする。
【００１４】
本発明の第２実施形態による光線路の障害位置検出装置は、各下り送信機に連結される多重化器および各上り受信機に連結される逆多重化器を備えた中央基地局と、第１光線路を通して前記中央基地局の多重化器に連結される逆多重化器、および前記第１光線路と一緒に布設される第２光線路を通して前記中央基地局の逆多重化器に連結される多重化器を備えた中間ノードと、第３光線路を通して前記中間ノードの逆多重化器に連結される下り受信機、および前記第３光線路と一緒に布設される第４光線路を通して前記中間ノードの多重化器に連結される上り送信機を備えた各加入者装置と、を含む波長分割多重方式受動型光加入者通信網に対する光線路の障害位置検出装置であって、前記各上り受信機に受信された信号のうち、非正常の受信状態を示すチャネルを確認し、非正常の受信状態を示すチャネルに該当する下り送信機の光源にパルスを入力して生成された監視光信号を前記中央基地局の多重化器に入力することで、前記監視光信号が前記第１光線路または第３光線路を通して伝送されるときの時間による大きさを測定して光損失値を測定し、光損失および障害位置を把握することを特徴とする。
【００１５】
このとき、前記光線路の障害位置検出装置は、パルスを発生するパルス発生器と；各下り送信機に対して設置され、データ信号発生部または前記パルス発生器と下り送信機の光源とを連結する２ｘ１スイッチと；前記第１光線路に設置され、前記中央基地局の多重化器を通して出力された前記監視光信号が後方に散乱または反射されると、その後方に散乱または反射された監視光信号の経路を変える受動素子と；前記受動素子に連結される波長可変帯域通過フィルタと；前記各上り受信機における信号受信可否を確認することで非正常の受信状態を示すチャネルを確認し、前記各上り受信機の全てに信号が受信されないと、前記各下り送信機から選択されたいずれか一つの下り送信機の光源と前記パルス発生器とが連結されるように、かつ、前記各上り受信機のいずれか一つの上り受信機に信号が受信されないと、その上り受信機と同一のチャネルを有する下り送信機の光源と前記パルス発生器とが連結されるように前記２ｘ１スイッチを制御し、前記波長可変帯域通過フィルタの中心波長を前記監視光信号の波長に合せる制御器と；前記波長可変帯域通過フィルタから前記監視光信号を受けて電気信号に変換し、時間による大きさの変化を前記第１光線路または第３光線路の距離による光損失値に換算して出力する監視信号用受信機と；を含んで構成されることを特徴とする。
【００１６】
さらに、前記制御器は、前記各上り受信機の二つ以上の上り受信機に同時に信号が受信されないと、前記各上り受信機と同一のチャネルを有する各下り送信機の光源と前記パルス発生器とが予め設定された順にしたがって連結されるように前記２ｘ１スイッチを制御し、前記波長可変帯域通過フィルタの中心波長を前記パルス発生器に連結された下り送信機の波長にそれぞれ合せることを特徴とする。
【００１７】
本発明の第３実施形態による光線路の障害位置検出装置は、前記第２実施形態による光線路の障害位置検出装置が各チャネル別に設置され、パルスを発生するパルス発生器と；データ信号発生部または前記パルス発生器と下り送信機の光源とを連結する２ｘ１スイッチと；下り送信機と前記中央基地局の多重化器とを連結する光線路に設置され、前記中央基地局の多重化器を通して出力された前記監視光信号が後方に散乱または反射されると、その後方に散乱または反射された監視光信号の経路を変える受動素子と；上り受信機における信号受信可否を確認した結果、非正常の受信状態を示すと、下り送信機の光源とパルス発生器とが連結されるように前記２ｘ１スイッチを制御する制御器と；前記受動素子から前記監視光信号を受けて電気信号に変換し、時間による大きさの変化を前記第１光線路または第３光線路の距離による光損失値に換算して出力する監視信号用受信機と；を含んで構成されることを特徴とする。
【００１８】
本発明の第４実施形態による光線路の障害位置検出装置は、受動型素子、下り送信機および上り受信機が一つのセットをなして各ポートに連結される多重化／逆多重化器を備えた中央基地局と、第１光線路を通して前記中央基地局の多重化器／逆多重化器に連結される多重化／逆多重化器を備えた中間ノードと、複数の第２光線路を通して前記中間ノードの第２多重化／逆多重化器にそれぞれ連結される各加入者装置と、を含む波長分割多重方式受動型光加入者通信網に対する光線路の障害位置検出装置であって、前記各上り受信機に受信された信号のうち、非正常の受信状態を示すチャネルを確認し、非正常の受信状態を示すチャネルに該当する下り送信機の光源にパルスを入力して生成された監視光信号を前記中央基地局の多重化／逆多重化器に入力することで、前記監視光信号が前記第１光線路または第２光線路を通して伝送されるときの時間による大きさを測定して光損失値を測定し、光損失および障害位置を把握することを特徴とする。
【００１９】
このとき、前記光線路の障害位置検出装置は、前記各受動型素子、下り送信機および上り受信機のセットに対して設置され、パルスを発生するパルス発生器と；データ信号発生部または前記パルス発生器と下り送信機の光源とを連結する２ｘ１スイッチと；下り送信機と受動型素子とを連結する光線路に設置され、前記中央基地局の多重化／逆多重化器を通して出力された前記監視光信号が後方に散乱または反射されると、その後方に散乱または反射された監視光信号の経路を変える受動素子と；上り受信機における信号受信可否を確認した結果、非正常の受信状態を示すと、下り送信機の光源とパルス発生器とが連結されるように前記２ｘ１スイッチを制御する制御器と；前記受動素子から前記監視光信号を受けて電気信号に変換し、時間による大きさの変化を前記第１光線路または第２光線路の距離による光損失値に換算して出力する監視信号用受信機と；を含んで構成されることを特徴とする。
【発明の効果】
【００２０】
本発明によるＷＤＭ−ＰＯＮの光線路の障害位置検出装置は、障害が発生したチャネルの下り光源を監視光源として使用するため、波長が多重化されて伝送される中央基地局と中間ノードとの間の光線路障害位置だけでなく、波長が分割されて伝送される中間ノードと各加入者との間の光線路障害位置までも検出することで、追加的な光源が必要でなく、光線路の障害位置検出装置を経済的に実現することができる。
【００２１】
また、本発明によるＷＤＭ−ＰＯＮの光線路の障害位置検出装置は、中央基地局に設置されることで、障害の発生時、障害を直ちに感知し、設置、管理および障害に対する対策を迅速に設け、正常に動作する各チャネルを遮断する必要なしに、正常なデータ伝送中に監視活動を行うことができる。
【発明を実施するための最良の形態】
【００２２】
以下、本発明の実施の形態を図面に基づいて説明する。
本発明による光線路の障害位置検出装置は、従来の下りデータ伝送のために使用された下り光源を監視パルス光源として使用し、光線路から散乱または反射される光パルスの波形を分析して光線路の障害位置を把握することを特徴とする。すなわち、中央基地局に設置された各上り受信機に受信された信号のうち、非正常の受信状態を示すチャネルを確認し、中央基地局に設置された各下り送信機のうち、非正常の受信状態を示すチャネルに該当する下り送信機の光源にパルスを入力して生成された監視光信号を中央基地局から出力することで、監視光信号が中央基地局と中間ノードとを連結する光線路を通して伝送されるか、または、中間ノードと各加入者装置とを連結する光線路を通して伝送されるときの時間による大きさを測定し、光損失および障害位置を把握することを特徴とする。ここで、光信号の大きさは、一般的に通用される光パワーの強さをいい、電圧または電流の強さなどで示される。
【００２３】
以下、本発明の各実施形態による光線路の障害位置検出装置を説明する。後述する各実施形態は、各ＷＤＮ−ＰＯＮによる実施形態であり、本発明の権利範囲は、これに限定されることなく、本発明の技術的思想内で多様な変形が可能である。
【実施例】
【００２４】
［第１実施形態］
図２は、本発明の第１実施形態による光線路の障害位置検出装置が設置された双方向ＷＤＭ−ＰＯＮの構成図である。
【００２５】
図２を参照すると、ＷＤＭ−ＰＯＮの中央基地局（ＣＯ）には、各下り送信機（Ｔｘ）に連結されてＡＷＧからなる多重化器（本実施形態では、Ｃ１  Ｎｘ１  ＡＷＧという）と、各上り受信機（Ｒｘ）に連結されてＡＷＧからなる逆多重化器（本実施形態では、Ｃ２  Ｎｘ１  ＡＷＧという）と、が設置される。中間ノード（ＲＮ）には、多重化および逆多重化機能を行うＡＷＧからなる多重化／逆多重化器（本実施形態では、Ｒ１  １ｘＮ  ＡＷＧという）が設置されるが、Ｒ１  １ｘＮ  ＡＷＧは、中央基地局のＣ１  Ｎｘ１  ＡＷＧおよびＣ２  Ｎｘ１  ＡＷＧ、第１光線路１１、並びに、受動型素子であるＷＤＭカプラーを通して連結され、複数の第２光線路１２を通して各加入者装置（ＯＮＵ）にそれぞれ連結される。
【００２６】
前記ＷＤＭ−ＰＯＮは、通常的な通信網構成図の一例であって、以下、その作動について説明する。
【００２７】
中央基地局（ＣＯ）では、各データ信号が相互に異なる波長を有する下り送信機（Ｔｘ）の各光源によって下り光信号に変換され、それら各下り光信号がＣ１  Ｎｘ１  ＡＷＧによって多重化された後、中間ノード（ＲＮ）に伝送される。次いで、中間ノード（ＲＮ）から伝送される各上り光信号は、ＷＤＭカプラーを通して各下り光信号と分離された後、Ｃ２  Ｎｘ１  ＡＷＧで逆多重化されて上り受信機（Ｒｘ）に受信される。
【００２８】
中間ノード（ＲＮ）のＲ１  １ｘＮ  ＡＷＧでは、中央基地局（ＣＯ）から伝送された、多重化された各下り光信号を逆多重化して波長別に各加入者装置（ＯＮＵ）に伝送し、各加入者装置（ＯＮＵ）から伝送された多様な波長の上り光信号を多重化して中央基地局（ＣＯ）側に伝送する。
【００２９】
加入者装置（ＯＮＵ）は、最終使用者たちにサービスインターフェースを提供する光通信網の終端装置であって、中間ノード（ＲＮ）から伝送された下り光信号を電気信号に変換するための下り受信機（Ｒｘ）と、データ信号を上り光信号に変換して中間ノード（ＲＮ）に伝送するための上り送信機（Ｔｘ）と、から構成される。
【００３０】
前記ＷＤＭ−ＰＯＮに設置される本発明の第１実施形態による光線路の障害位置検出装置１００は、パルス発生器１１０と、２ｘ１電気的スイッチ１２０と、受動素子１３０と、波長可変帯域通過フィルタ１４０と、制御器１５０と、監視信号用受信機１６０と、を含んで構成される。
【００３１】
パルス発生器１１０は、制御器１５０から同期信号を受け、短いパルス幅および長い周期のパルス（以下、監視パルスという）を発生する。パルス幅は、光線路の障害位置を判別する空間分解能力を決定するが、空間分解能力は、下記の数学式１によって計算される。
【式１】
【００３２】
2006287888.tif 000003
ここで、Ｓは空間分解能力を、Ｃは真空状態における光速度を、ｎは光繊維の屈折率を、Ｗはパルス幅をそれぞれ示している。
【００３３】
また、パルスの周期は、下記の数学式２によって測定される光線路の最大長さを決定するのに用いられる。
【式２】
【００３４】
2006287888.tif 000004
ここで、Ｒは測定された光線路の最大長さを、Ｃは真空状態における光速度を、ｎは光繊維の屈折率を、Ｔはパルスの周期をそれぞれ示している。
【００３５】
２ｘ１電気的スイッチ１２０は、各送信機に対して設置され、制御器１５０の制御信号によってデータ信号発生部またはパルス発生器１１０を光源と連結する。すなわち、光線路に障害がないときは、データ信号を下り光源に印加し、光線路に障害が発生すると、監視パルスを下り光源に印加する。
【００３６】
受動素子１３０は、光循環器またはカプラーからなるが、中央基地局の多重化器であるＣ１  Ｎｘ１  ＡＷＧと受動型素子であるＷＤＭカプラーとの間に設置され、第１光線路１１または第２光線路１２を通して伝送される信号が後方に散乱または反射されると、その後方に散乱または反射された信号の経路を変える。
【００３７】
制御器１５０は、中央基地局のＣ２  Ｎｘ１  ＡＷＧに連結された各上り受信機における信号受信可否を確認することで非正常の受信状態を示すチャネルを確認し、パルス発生器１１０、２ｘ１電気的スイッチ１２０および波長可変帯域通過フィルタ１４０を制御する。各上り受信機の全てに信号が受信されない場合は、第１光線路１１に障害が発生したことを意味し、それら各上り受信機のいずれか一つの受信機に信号が受信されない場合は、その受信機と同一のチャネルの第２光線路１２に障害が発生したことを意味する。したがって、各上り受信機の全てに信号が受信されないと、中央基地局のＣ１  Ｎｘ１  ＡＷＧに連結された各下り送信機から選択されたいずれか一つの送信機の光源とパルス発生器１１０とが連結されるように２ｘ１スイッチ１２０を制御することで、パルス発生器１１０から監視パルスを発生するように制御し、パルス発生器１１０から発生した監視パルスに該当する監視光信号をＣ１  Ｎｘ１  ＡＷＧに入力する。また、それら各上り受信機のいずれか一つの受信機に信号が受信されないと、その上り受信機と同一のチャネルに該当する送信機の光源とパルス発生器１１０とが連結されるように２ｘ１スイッチ１２０を制御することで、パルス発生器１１０から監視パルスを発生するように制御し、監視光信号をＣ１  Ｎｘ１  ＡＷＧに入力する。したがって、監視光信号または監視光信号と一緒に他のチャネルの送信機から出力された各データ光信号は、Ｃ１  Ｎｘ１  ＡＷＧで多重化されて第１光線路１１を通して伝送されるか、中間ノードのＲ１  １ｘＮ  ＡＷＧで逆多重化されて第２光線路１２を通して伝送される。このとき、Ｃ１  Ｎｘ１  ＡＷＧから出力された多重化信号は、第１光線路１１の各位置から後方に散乱または反射されて受動素子１３０で経路が変わり、波長可変帯域通過フィルタ１４０に入力される。また、中間ノードのＲ１  １ｘＮ  ＡＷＧで逆多重化された監視光信号は、第２光線路１２の各位置から後方に散乱または反射されて他の光信号と一緒に中間ノードのＲ１  １ｘＮ  ＡＷＧで多重化された後、第１光線路１１を通して受動素子１３０を経て波長可変帯域フィルタ１４０に入力される。このように、波長可変帯域フィルタ１４０に各信号が入力されると、制御器１５０は、波長可変帯域通過フィルタ１４０の中心波長を監視光信号の波長に合せることで、監視光信号以外の各光信号を抑制して監視光信号の信号対雑音比を上昇する。波長可変帯域通過フィルタ１４０を通過した監視光信号は、監視信号用受信機１６０に入力される。
【００３８】
2006287888.tif 000005
【００３９】
一方、中間ノードと加入者装置とを連結する一つ以上の第２光線路１２から同時または連続的に障害が発生した場合、すなわち、各上り受信機の二つ以上の上り受信機に同時に信号が受信されないと、制御器１５０は、それら各上り受信機と同一のチャネルを有する各下り送信機の光源とパルス発生器１１０とが予め設定された順にしたがって連結されるように各２ｘ１スイッチ１２０を制御する。また、制御器１５０は、波長可変帯域通過フィルタ１４０の中心波長をパルス発生器１１０に連結された下り送信機の波長に順次合せる。したがって、監視信号用受信機１６０では、各監視光信号に対する後方散乱信号を順次測定するようになる。このとき、各下り送信機の光源とパルス発生器１１０とを連結する順序は、如何なる方法に基づいてもよい。
【００４０】
［第２実施形態］
図３は、本発明の第２実施形態による光線路の障害位置検出装置が設置された単方向ＷＤＭ−ＰＯＮの構成図である。
【００４１】
本実施形態の技術的思想は、前述した第１実施形態の技術的思想と同一であるが、ＷＤＭ−ＰＯＮの構成が異なり、光線路の障害位置検出装置の構成および作動において多少の差がある。よって、本実施形態を説明するにおいて、前述した第１実施形態と反復される部分の説明は省略する。
【００４２】
図３を参照すると、ＷＤＭ−ＰＯＮの中央基地局（ＣＯ）には、各下り送信機に連結されてＡＷＧからなる多重化器（本実施形態では、Ｃ１  Ｎｘ１  ＡＷＧという）と、各上り受信機に連結されてＡＷＧからなる逆多重化器（本実施形態では、Ｃ２  Ｎｘ１  ＡＷＧという）と、が設置される。中間ノード（ＲＮ）には、加入者装置の各下り受信機に連結されてＡＷＧからなる逆多重化器（本実施形態では、Ｒ１  １ｘＮ  ＡＷＧという）と、加入者装置の各上り送信機に連結されてＡＷＧからなる多重化器（本実施形態では、Ｒ２  １ｘＮ  ＡＷＧという）と、が設置される。Ｃ１  Ｎｘ１  ＡＷＧおよびＲ１  １ｘＮ  ＡＷＧは、第１光線路２１を通して連結され、Ｃ２  Ｎｘ１  ＡＷＧおよびＲ２  １ｘＮ  ＡＷＧは、第２光線路２２を通して連結される。また、Ｒ１  １ｘＮ  ＡＷＧは、第３光線路２３を通して各加入者装置（ＯＮＵ）の下り受信機に連結され、Ｒ２  １ｘＮ  ＡＷＧは、第４光線路２４を通して各加入者装置（ＯＮＵ）の上り送信機に連結される。このとき、第１光線路２１および第２光線路２２、そして、第３光線路２３および第４光線路２４は、一緒に布設される。
【００４３】
本実施形態のＷＤＭ−ＰＯＮと第１実施形態のＷＤＭ−ＰＯＮとを比較すると、第１実施形態の中間ノードでは、多重化／逆多重化器を使用したが、本実施形態の中間ノードでは、多重化器および逆多重化器をそれぞれ使用しており、第１実施形態のＷＤＭ−ＰＯＮは、双方向システムとして単一の第１光線路およびＷＤＭカプラーを用いて上り信号と下り信号とを分離したが、本実施形態のＷＤＭ−ＰＯＮは、単方向システムとして下り信号が第１光線路２１および第３光線路２３を通して伝送され、上り信号が第２光線路２２および第４光線路２４を通して伝送される点に差がある。
【００４４】
前述したＷＤＭ−ＰＯＮに設置される本発明の第２実施形態による光線路の障害位置検出装置１００も、第１実施形態と同様に、パルス発生器１１０と、２ｘ１電気的スイッチ１２０と、受動素子１３０と、波長可変帯域通過フィルタ１４０と、制御器１５０と、監視信号用受信機１６０と、を含んで構成され、その機能も同一である。ただ、制御器１５０は、第４光線路２４および第２光線路２２を通して伝送される信号がＣ２  Ｎｘ１  ＡＷＧに連結された各上り受信機に受信されるか否かによって光線路の障害を検出し、監視光信号が第１光線路２１および第３光線路２３を通して伝送されながら障害位置を検出する点に差がある。これは、第１光線路２１および第２光線路２２が一緒に布設された場合、外部の物理的な衝撃によって第２光線路２２に障害が発生すると、第１光線路２１にも障害が発生するようになり、第１光線路２１の障害位置と第２光線路２２の障害位置とがほぼ同一である点を用いたものである。また、第４光線路２４に障害が発生すると、第３光線路２３にも障害が発生するようになり、第３光線路２３の障害位置と第４光線路２４の障害位置とがほぼ同一である点を用いたものである。
【００４５】
［第３実施形態］
図４は、本発明の第３実施形態による光線路の障害位置検出装置が設置された単方向ＷＤＭ−ＰＯＮの構成図である。
【００４６】
本実施形態は、第２実施形態と同一のＷＤＭ−ＰＯＮに、本発明による光線路障害検出装置１００を各チャネル別に設置したものである。このように、各チャネル別に光線路の障害検出装置が設置されることで、第２実施形態における波長可変帯域フィルタが必要でなくなり、中間ノードと加入者装置とを連結する一つ以上の第３光線路から同時または連続的に障害が発生した場合も、同時に障害位置を検出することができる。
【００４７】
［第４実施形態］
図５は、本発明の第４実施形態による光線路の障害位置検出装置が設置された双方向ＷＤＭ−ＰＯＮの構成図である。
【００４８】
本実施形態の技術的思想は、前述した各実施形態の技術的思想と同一であるが、ＷＤＭ−ＰＯＮの構成が異なり、光線路の障害位置検出装置の構成および作動において多少の差がある。よって、本実施形態を説明するにおいて、前述した第１実施形態と反復される部分の説明は省略する。
【００４９】
図５を参照すると、ＷＤＭ−ＰＯＮの中央基地局（ＣＯ）には、ＡＷＧからなる多重化／逆多重化器（本実施形態では、Ｃ１  Ｎｘ１  ＡＷＧという）が設置されるが、このＣ１  Ｎｘ１  ＡＷＧの各ポートには、ＷＤＭカプラー、下り送信機および上り受信機が一つのセットをなして連結される。中間ノード（ＲＮ）には、第１光線路３１を通して中央基地局のＣ１  Ｎｘ１  ＡＷＧに連結されてＡＷＧからなる多重化／逆多重化器（本実施形態では、Ｒ１  １ｘＮ  ＡＷＧという）が設置される。このＲ１  １ｘＮ  ＡＷＧは、複数の第２光線路３２を通して各加入者装置にそれぞれ連結される。
【００５０】
本実施形態のＷＤＭ−ＰＯＮと第１実施形態のＷＤＭ−ＰＯＮとを比較すると、第１実施形態の中央基地局では、多重化器および逆多重化器を使用したが、本実施形態の中央基地局では、多重化／逆多重化器を使用しており、その多重化／逆多重化器に下り送信機および上り受信機をそれぞれ連結し、多重化／逆多重化器に入力される下り信号と多重化／逆多重化器を通して出力される上り信号とを分離するためにＷＤＭカプラーを使用した。
【００５１】
前述したＷＤＭ−ＰＯＮに設置される本発明の第４実施形態による光線路の障害位置検出装置１００は、パルス発生器１１０と、２ｘ１電気的スイッチ１２０と、受動素子であるＷＤＭカプラー１３０と、制御器１５０と、監視信号用受信機１６０と、を含んで構成され、その機能も同一である。ただ、光線路の障害位置検出装置１００がＷＤＭカプラー、下り送信機および上り受信機のセットごとに、すなわち、各チャネルごとに設置され、後方に散乱または反射された監視光信号の経路を変える受動素子１３０が下り送信機とＷＤＭカプラーとを連結する光線路３３に設置され、その受動素子１３０に監視信号用受信機１６０が直接連結されることを特徴とする。すなわち、本実施形態によると、各チャネル別に光線路の障害検出装置が設置されるので、波長可変帯域フィルタが必要でなくなる。
【００５２】
本実施形態の光線路の障害検出装置は、各チャネルに対してそれぞれ設置されるので、中間ノードと加入者装置とを連結する一つ以上の第２光線路３２から同時または連続的に障害が発生した場合、前述した第１実施形態のように、一つずつ順次測定するのではなく、同時に測定することができる。
【００５３】
図６は、ＷＤＮ−ＰＯＮに多様な種類の下り光源を監視光源として使用した場合、本発明による光線路の障害位置検出装置の性能を測定したグラフである。
【００５４】
本発明による光線路の障害位置検出装置の性能は、測定できる光線路の最大損失値であるダイナミックレンジ（ｄｙｎａｍｉｃ  ｒａｎｇｅ）にて定義される。
【００５５】
下り光源には、既存のＷＤＭ−ＰＯＮ用光源として使用される波長選択性分散帰還レーザ（ｄｉｓｔｒｉｂｕｔｅｄ  ｆｅｅｄｂａｃｋ  ｌａｓｅｒ  ｄｉｏｄｅ：ＤＦＢ−ＬＤ）、ＡＳＥ注入方式ファブリ・ペローレーザ（ＡＳＥ−ｉｎｊｅｃｔｅｄ  Ｆａｂｒｙ−Ｐｅｒｏｔ  ｌａｓｅｒ  ｄｉｏｄｅ；ＡＳＥ−ｉｎｊｅｃｔｅｄ  ＦＰ−ＬＤ）、スペクトル分割方式発光ダイオード（ｓｐｅｃｔｒｕｍ−ｓｌｉｃｅｄ  ｌｉｇｈｔ  ｅｍｉｔｔｉｎｇ  ｄｉｏｄｅ；ｓｐｅｃｔｒｕｍ−ｓｌｉｃｅｄ  ＬＥＤ）、多周波数レーザ（ｍｕｌｔｉ−ｆｒｅｑｕｅｎｃｙ  ｌａｓｅｒ）を使用した。
【００５６】
図６を参照すると、本発明による光線路の障害位置検出装置は、光源の種類と関係なしに、監視光源の最大光量のみに依存するが、光源の最大光量が通信網の損失値を測定できる程度であれば、本発明による光線路の障害位置検出装置を使用することができる。
【００５７】
図７は、障害の発生時、本発明による光線路の障害位置検出装置によって監視パルスが印加された場合の結果を測定したグラフである。
【００５８】
図７を参照すると、光線路に障害が発生すると、本発明による光線路の障害位置検出装置の制御器が障害を発見し、下り送信機の光源に連結された２ｘ１電気的スイッチの経路を変えることで、下りデータ信号の代わりに監視パルスが下り光源に印加されることが分かる。
【００５９】
障害の発生時間と下りデータ信号の遮断時間との間隔は、主に制御器が障害を判断するのに要する時間である。制御器は、上り受信機で上り光信号の受信状態を監視して上り光信号が受信されないときを障害と判断するが、上り光信号が障害位置から上り受信機まで到達するのに要する時間が遅延されるので、その遅延された時間だけ制御器における障害判断時間が遅延される。また、制御器で障害を判断した後、下り送信機のスイッチ状態を変えるので、障害の発生時間と下りデータ信号の遮断時間との間には、多少の時間遅延がさらに発生する。
【００６０】
図８は、本発明による光線路の障害位置検出装置を用いて測定した監視光信号の波形図である。
【００６１】
図８を参照すると、図面符号‘ａ’は、光線路に障害がないときに測定された信号の波形で、中央基地局と中間ノードとを連結する光線路の長さおよび損失値、中間ノードのＡＷＧから反射される信号の強さおよび中間ノードのＡＷＧにおける損失値、中間ノードと加入者装置とを連結する光線路の長さおよび損失値、並びに、加入者装置から反射される信号の強さが距離によって表示される。
【００６２】
図面符号‘ｂ’は、中間ノードと加入者装置とを連結する光線路から障害が発生したときに測定された波形である。図面符号‘ｂ’を参照すると、中央基地局と中間ノードとの間の光線路の長さおよび損失値、並びに、中間ノードのＡＷＧから反射される信号の強さおよび中間ノードのＡＷＧにおける損失値は、障害がないときと同様に示される。しかし、中間ノードと加入者装置との間の光線路から障害が発生したので、障害の発生位置で信号波形が消え、加入者装置までは信号波形が表れていない。また、障害は、光線路の曲がりによって発生したので、障害位置から大きく反射される信号が表れなくなる。よって、本発明による光線路の障害検出装置を用いると、光線路の曲がりのように、大きな反射がない場合も、障害位置を把握することができる。
【００６３】
図面符号‘ｃ’は、中央基地局と中間ノードとを連結する光線路から障害が発生したときに測定された波形である。図面符号‘ｃ’を参照すると、中央基地局と中間ノードとの間の障害位置で信号が消えたことが分かる。このとき、障害は、光線路の切断によって発生したので、障害位置から大きく反射された信号が生成される。よって、本発明による光線路の障害検出装置を用いると、光線路の切断のように、障害位置で大きな反射信号を生成する障害がある場合も、障害位置を把握することができる。
【００６４】
すなわち、図８のように測定された各波形から光線路の各位置における損失およびその発生位置を知ることができ、中央基地局と中間ノードとを連結する光線路障害だけでなく、中間ノードと各加入者装置とを連結する光線路から発生した障害までも正確に知ることができる。
【００６５】
図９は、本発明による光線路の障害位置検出装置が設置されたＷＤＮ  ＰＯＮにおける上り光信号および下り光信号の伝送品質を測定したグラフである。
【００６６】
すなわち、図９のグラフは、特定のチャネルで障害が発生し、そのチャネルに障害位置を監視するための監視光信号を送出するとき、その監視光信号が障害の発生しないチャネルを通したデータ信号の伝送品質に与える影響を察するために、上り光信号および下り光信号のビットエラー率（Ｂｉｔ  Ｅｒｒｏｒ  Ｒａｔｅ；ＢＥＲ）を測定したものである。監視光信号の有無に関係なく、データを受信する受信機における受信光量およびビットエラー率が同一であると、監視光信号がデータ伝送に与える影響がないことを意味する。本実験のために、上りデータ信号は、ＬＥＤを１５５Ｍｂ／ｓの変調速度で直接変調して伝送し、下りデータ信号は、ＤＦＢ−ＬＤを２．５Ｇｂ／ｓの変調速度で直接変調して伝送した。
【００６７】
図９を参照すると、監視光信号の有無に関係なく、上り光信号および下り光信号のビットエラー率および受信光量が同一であるので、監視光信号がデータ伝送に及ぼす影響はなく、データ伝送中にも監視活動を行うことができる。
【産業上の利用可能性】
【００６８】
以上説明したように、本発明によるＷＤＭ−ＰＯＮの光線路の障害位置検出装置は、障害が発生したチャネルの下り光源を監視光源として使用するため、波長が多重化されて伝送される中央基地局と中間ノードとの間の光線路障害位置だけでなく、波長が分割されて伝送される中間ノードと各加入者との間の光線路障害位置までも検出することで、追加的な光源が必要でなく、光線路の障害位置検出装置を経済的に実現することができる。
【００６９】
また、本発明によるＷＤＭ−ＰＯＮの光線路の障害位置検出装置は、中央基地局に設置されることで、障害の発生時、障害を直ちに感知し、設置、管理および障害に対する対策を迅速に設け、正常に動作する各チャネルを遮断する必要なしに、正常なデータ伝送中に監視活動を行うことができる。
【図面の簡単な説明】
【００７０】
【図１】従来の波長分割多重方式受動型光加入者通信網の構成図である。
【図２】本発明の第１実施形態による光線路の障害位置検出装置が設置された双方向波長分割多重方式受動型光加入者通信網の構成図である。
【図３】本発明の第２実施形態による光線路の障害位置検出装置が設置された単方向波長分割多重方式受動型光加入者通信網の構成図である。
【図４】本発明の第３実施形態による光線路の障害位置検出装置が設置された単方向波長分割多重方式受動型光加入者通信網の構成図である。
【図５】本発明の第４実施形態による光線路の障害位置検出装置が設置された双方向波長分割多重方式受動型光加入者通信網の構成図である。
【図６】波長分割多重方式受動型光加入者通信網に多様な種類の下り光源を監視光源として使用した場合、本発明による光線路の障害位置検出装置の性能を測定したグラフである。
【図７】障害の発生時、本発明による光線路の障害位置検出装置によって監視パルスが印加された場合の結果を測定したグラフである。
【図８】本発明による光線路の障害位置検出装置を用いて測定した監視光信号の波形図である。
【図９】本発明による光線路の障害位置検出装置が設置された波長分割多重方式受動型光加入者通信網における上り光信号および下り光信号の伝送品質を測定したグラフである。
【符号の説明】
【００７１】
１００  光線路の障害位置検出装置
１１０  パルス発生器
１２０  ２ｘ１スイッチ
１３０  受動素子
１４０  波長可変帯域通過フィルタ
１５０  制御器
１６０  監視信号用受信機
１１，１２，２１，２２，２３，２４，３１，３２，３３  光線路
【図１】
2006287888.tif 000006
【図２】
2006287888.tif 000007
【図３】
2006287888.tif 000008
【図４】
2006287888.tif 000009
【図５】
2006287888.tif 000010
【図６】
2006287888.tif 000011
【図７】
2006287888.tif 000012
【図８】
2006287888.tif 000013
【図９】
2006287888.tif 000014